(57)【要約】      （修正有）【課題】シリコーン加工紙などのような枚葉シートを最後の一枚まで、下方に沈み込むことなく保持し、かつ容易に取り出すことができる積層した枚葉シートの収納保持部材の提供。【解決手段】積層した枚葉シートの一方の面が接する背面板３と該背面板３の両縁部に設けた側壁板４，４からなり、前記背面板３の長手方向の端部がコの字形状を有する枚葉シート収納部材と、前記背面板３に対向する前記コの字形状の天井部６を押圧する押圧部材８を有する平板９からなる枚葉シート押さえ板１０、とから構成されることを特徴とする積層した枚葉シートの収納保持部材ＩＩ及びこの収納保持部材を収納するための収納容器。【選択図】図１
0003125893.tif 000002
【実用新案登録請求の範囲】
【請求項１】
積層した枚葉シートの一方の面が接する背面板と該背面板の両縁部に設けた側壁板からなり、前記背面板の長手方向の端部がコの字形状を有する枚葉シート収納部材と、
前記背面板に対向する前記コの字形状の天井部を押圧する押圧部材を有する平板からなる枚葉シート押さえ板、とから構成されることを特徴とする枚葉シートの収納保持部材。
【請求項２】
前記枚葉シート押さえ板は、前記平板の前記コの字形状の天井部の中央を押圧する位置に、押圧部材を有することを特徴とする請求項１に記載の枚葉シートの収納保持部材。
【請求項３】
前記枚葉シート押さえ板は、前記平板の前記コの字形状の天井部の両端を押圧する位置に、それぞれ押圧部材を有することを特徴とする請求項１に記載の枚葉シートの収納保持部材。
【請求項４】
積層した枚葉シートの一方の面が接する背面板と該背面板の両縁部に設けた側壁及び該背面板の長手方向の後端部に設けた後壁からなり、前記後壁は内側にカギ形状を有し、且つ、前記カギ形状を有する後壁に近接した前記両側壁部には互いに内側に折り曲げられて形成されたフランジ部を有する、枚葉シート収納部材と、
前記背面板に対向する前記フランジ部を押圧する押圧部材を有する平板からなる枚葉シート押さえ板、とから構成されることを特徴とする枚葉シートの収納保持部材。
【請求項５】
前記枚葉シート押さえ板は、前記平板の前記枚葉シートと接する面側に複数個の凸面が形成されていることを特徴とする請求項１乃至４のいずれか１項に記載の枚葉シートの収納保持部材。
【請求項６】
前記背面板と後壁との角度が鋭角となるように傾斜が設けられていることを特徴とする請求項１乃至５のいずれか１項に記載の枚葉シートの収納保持部材。
【請求項７】
開閉可能であってかつ閉蓋時に固定される固定部を有する蓋を備えた容器の中に前記請求項１乃至６のいずれか１項に記載の枚葉シートの収納保持部材が納められていることを特徴とする枚葉シートの収納容器。
【請求項８】
長方形の４隅に取付け手段を設けたことを特徴とする請求項７に記載の枚葉シートの収納容器取付け用磁性体基板。
【考案の詳細な説明】
【技術分野】
【０００１】
本考案は枚葉シートの収納保持部材および該収納保持部材の収納容器に関する。
【背景技術】
【０００２】
各社は、オーブンや電子レンジなどの天板や皿などの上に敷いて、魚や肉などを焼いたり蒸したりするときに使用する紙を料理用ペーパー、クッキングペーパー、耐熱紙、料理用耐熱紙などと呼んでいるが、普通名詞では、シリコーン加工紙またはシリコーン加工耐熱紙という。例えば、網にシリコーン加工紙を敷き、この上に魚を載せて焼くと焦げたものが網にくっ付いたり、魚を取り出すときに焦げつきが魚にくっ付いて魚の形が崩れることがないので、魚がきれいに焼ける。したがって、焼き物がきれいに仕上がるばかりか、オーブンなどの調理器具を汚さず、厨房の片付けが楽になる。また、使用後は、シリコーン加工紙は紙であるので、可燃ゴミとして処理できる。
【０００３】
シリコーン加工紙のような枚葉シートは、多数枚が容器などに積層して収納されており、使用するたび毎に一枚、一枚、取り出して使用するのが一般的である。このような枚葉シートの収納容器として、図８に示すような、引出具２２の基板２３と押さえ板２４の間にアルミホイルなどの枚葉シートＳ’を挟んだ状態で、この引出具２２を容器本体２０に挿入してなるものが知られている（例えば、特許文献１を参照）。
【特許文献１】特開２００１−１１４２９３号公報（特許請求の範囲、段落０００８乃至段落００１３、図１〜図３）
【考案の開示】
【考案が解決しようとする課題】
【０００４】
シリコーン加工紙は、包装紙で包装して保管したり箱に入れて保管されるが、このシリコーン加工紙はアルミホイルなどと異なり、極めて柔軟性があり、厨房などの平面上において使用するときは、保存時にシリコーン加工紙が変形するなどの問題は起こらない。しかし、これを箱などの容器に入れて、かつ厨房の壁に取り付けて使用する場合には、シリコーン加工紙は立てた状態で保管されるので、シリコーン加工紙は柔軟性があるが故に、自重により時間の経過とともに折れ曲がって下方に沈んでしまい、取り出し口から取り出すことができなくなるという問題点がある。
【０００５】
厨房では炒め物や天ぷらなど食用油を使用した調理をすることもしばしばある。また、厨房は清潔にはしているが、目に見えない塵埃までをも完全に除去することは極めて困難である。厨房にあっては、時間の経過とともに、油や塵埃の付着を避けることは難しい。一方、シリコーン加工紙は料理用として使用するものであるので、保存時に油や塵埃などは付着しないことが好ましい。
【０００６】
したがって、本考案は、以上のことに鑑みてなされたものであって、シリコーン加工紙などのような枚葉シートを最後の一枚まで、下方に沈み込むことなく容易に取り出すことができる枚葉シートの収納保持部材を提供することが第一の課題である。また、厨房に保存中に油や塵埃などが付着し難い構造を有する枚葉シートの収納容器を提供することが第二の課題である。
【課題を解決するための手段】
【０００７】
（１）本考案の枚葉シートの収納保持部材は、積層した枚葉シートの一方の面が接する背面板と該背面板の両縁部に設けた側壁板からなり、前記背面板の長手方向の端部がコの字形状を有する枚葉シート収納部材と、
前記背面板に対向する前記コの字形状の天井部を押圧する押圧部材を有する平板からなる枚葉シート押さえ板、とから構成されることを特徴とする。
（２）本考案の枚葉シートの収納保持部材は、前記第１項に記載の枚葉シートの収納保持部材において、前記枚葉シート押さえ板は、前記平板の前記コの字形状の天井部の中央を押圧する位置に、押圧部材を有することを特徴とする。
（３）本考案の枚葉シートの収納保持部材は、前記第１項に記載の枚葉シートの収納保持部材において、前記枚葉シート押さえ板は、前記平板の前記コの字形状の天井部の両端を押圧する位置に、それぞれ押圧部材を有することを特徴とする。
（４）本考案の枚葉シートの収納保持部材は、積層した枚葉シートの一方の面が接する背面板と該背面板の両縁部に設けた側壁及び該背面板の長手方向の後端部に設けた後壁からなり、前記後壁は内側にカギ形状を有し、且つ、前記カギ形状を有する後壁に近接した前記両側壁部には互いに内側に折り曲げられて形成されたフランジ部を有する、枚葉シート収納部材と、
前記背面板に対向する前記フランジ部を押圧する押圧部材を有する平板からなる枚葉シート押さえ板、とから構成されることを特徴とする。
（５）本考案の枚葉シートの収納保持部材は、前記第１項乃至第４項のいずれか１項に記載の枚葉シートの収納保持部材において、前記枚葉シート押さえ板は、前記平板の前記枚葉シートと接する面側に複数個の凸面が形成されていることを特徴とする。
（６）本考案の枚葉シートの収納保持部材は、前記第１項乃至第５項のいずれか１項に記載の枚葉シートの収納保持部材において、前記背面板と後壁との角度が鋭角となるように傾斜が設けられていることを特徴とする。
（７）本考案の枚葉シートの収納容器は、開閉可能であってかつ閉蓋時に固定される固定部を有する蓋を備えた容器の中に前記第１項乃至第６項のいずれか１項に記載の枚葉シートの収納保持部材が納められていることを特徴とする。
（８）本考案の枚葉シートの収納容器取付け用磁性体基板は、第７項の考案において、長方形の４隅に取付け手段を設けたことを特徴とする。
【考案の効果】
【０００８】
本考案に係る枚葉シートの収納保持部材は、シリコーン加工紙などの枚葉シートに平板を当てかつ、押圧部材で押さえるようにしたので、シリコーン加工紙などの枚葉シートの複数枚がなくなる最後の１枚までしっかりと押さえ込むことができるので、下方に沈み込むことなく容易に取り出すことができる。
【０００９】
特に、平板の両角の２カ所に押圧部材を設けてフランジ部の両端を押さえるようにしたので、二つの押圧部材で枚葉シートの両側が固定されて、枚葉シートの下方が十分に固定されるとともに上方では緩く押さえられるので、枚葉シートが二枚重なって取り出してしまうようなことがない。
【００１０】
このように、コの字形状の天井部の両端を押さえる構成に替えて、両側壁の後端に設けたフランジ部を、平板の両角の２カ所に設けた押圧部材で押圧する構成にした場合には、押圧部材の押圧力が押圧部材間に働いて押圧力が均等に作用することにより前記効果がいっそう良好となる。
【００１１】
また、枚葉シート押さえ板は、平板の枚葉シートと接する面側に複数個の凸面を形成したので、この凸面により枚葉シートを部分的に押さえることができるので、よりいっそう確実に枚葉シートが二枚重なって取り出してしまうことを防ぐことができる。
【００１２】
さらに、背面板と後壁との角度が鋭角となるように傾斜を設けた、すなわち、収納保持部材の底面の角度を内側に傾斜させることによって、シリコーン加工紙の１枚、１枚の取り出しを容易にすることができる。
【００１３】
また、収納保持部材を、開閉可能な蓋を備えた容器の中に納めることによって、長期間立設状態に保持しておいてもシリコーン加工紙に油や塵埃の付着を避けることができる。更に非磁性体板の壁に本考案の収納容器を取り付ける場合には、長方形の４隅に取付け手段を設けた枚葉シートの収納容器取付け用磁性体基板を壁に取り付けることにより、この磁性体基板に該収納容器を取り付けることができる。
【考案を実施するための最良の形態】
【００１４】
以下、図面に基づいて本考案を説明する。図１は本考案に係る積層した枚葉シートの収納容器の一実施形態を示す斜視図である。図１に示すように、収納容器Ｉは、開閉可能な蓋１を備えた容器２からなり、容器２の中に、図２で示す収納保持部材ＩＩが納められている。積層したシリコーン加工紙Ｓなどの枚葉シートを保持した収納保持部材ＩＩを背面板３のコの字形状部が奥側に、平板９が手前側（蓋１側）になるように、容器２に納める。使用する場合には、蓋１を開けてシリコーン加工紙Ｓを１枚、１枚取り出して使用する。シリコーン加工紙Ｓを取り出した後は、蓋１を閉じる。蓋１には固定部材１ａを有しており、蓋１ａを閉めた後、閉蓋状態を保持することができる。
【００１５】
積層したシリコーン加工紙Ｓなどの枚葉シートを保持した収納保持部材ＩＩは、開閉可能な蓋１を備えた容器２の中に納められているので、シリコーン加工紙Ｓに油や塵埃が付着することがない。容器２および蓋１を構成する主要材料としては、特に限定されるものではないが、ポリエチレン（ＰＥ）、ポリスチレン（ＰＳ）、ＡＢＳ樹脂等の汎用プラスチック、ポリアミド（ＰＡ）、ポリカーボネート（ＰＣ）、ポリブチレンテレフタレート（ＰＢＴ）、ポリアセタール等のエンジニアリング・プラスチックが挙げられる。これらは透明であっても顔料等を混入させ不透明としてもよい。また、アルミニウム、スチール等の金属であってもよい。また、蓋１が透明なプラスチックで形成されていれば、蓋１を開けないでも内部を見ることができる。この場合、蓋１は、通常は射出成形するので蓋１全体が透明なプラスチックが好ましく、例えば、アクリル樹脂やポリカーボネート樹脂等が挙げられる。収納容器Ｉは、厨房の壁などに取り付けて使用するが、容器２がアルミニウムや樹脂などで形成されている場合には、磁石２１を取り付けることができないので、容器２の背面裏側に、たとえば粘着シートを備えた磁石などを貼り付けることにより、ステンレスなどのスチール板で覆われた壁や冷蔵庫などの扉に簡単に止めることができる。容器２がステンレススチールなどの磁石２１を引き付けるような材質である場合には、円盤状などの適宜の形状を有する磁石を用いてステンレスなどのスチール板で覆われた壁や冷蔵庫などの扉に取り付けることができる。
【００１６】
本実施の形態では、容器２の背面裏側に磁石２１を４個配置し、ステンレス製の壁に止めることが好ましい。また、図８に示されるように、壁が非磁性体の素材で形成されている場合には、鉄板１５の４カ所のビス孔１６をビスで固定するか、両面テープで固定した後、この鉄板に背面裏側に４個の磁石が配置された容器２を止める。容器２を壁に磁石で止めることにより、磁石と壁の間に空間が生じ、この空間を空気が流通するので、容器２の加熱を防止することができる。
【００１７】
図２は、積層したシリコーン加工紙Ｓなどの枚葉シートを収納保持するための収納保持部材ＩＩの一実施形態を示す斜視図である。収納保持部材ＩＩは、枚葉シート収納部材７と枚葉シート押さえ板１０から構成される。枚葉シート収納部材７は、積層したシリコーン加工紙Ｓなどの枚葉シートの一方の面が接する背面板３と、この背面板３の両縁部に設けた側壁４（以下、側壁板ともいう。）とからなる。背面板３は、その長手方向の端部が壁５と天井部６とともにコの字形状３１となっている。枚葉シート収納部材７を構成する素材としては、加工のし易さの点で、アルミニウム板やスチール板が好ましい。１枚のスチール板を、背面板３（壁５と天井部６を含む）と両側壁板４を展開した形状に型どり、背面板３の両側を折り曲げて側板４を形成し、次いで、背面板３の長手方向の端部を２度折り曲げて壁５と天井部６を形成することにより、枚葉シート収納部材７を形成することができる。
【００１８】
枚葉シート押さえ板１０は、枚葉シート収納部材７の背面板３に対向するコの字形状の天井部６を押圧する押圧部材８を有する平板９からなっている。押圧部材８は、弾性変形する板バネなどを用いることができる。板バネの形状としては、山形状としたもので頂上部が尖っているものが好ましい。枚葉シート押さえ板１０の長さは、枚葉シート収納部材７全体の７／１０以上を覆う長さであれば、壁や冷蔵庫などの扉に止めたときに、シリコーン加工紙Ｓが前方に倒れるようなことがない。平板９の素材としては、プラスチック板、アルミニウム板、スチール板等を例示することができる。スチール製の板バネを使用するときは、平板９の素材としてスチール板を使用することが加工のし易さという点で好ましい。図２において、シリコーン加工紙Ｓを枚葉シート収納部材７の背面板３の上に積層した状態（図示せず）で、矢印（→）の方向から枚葉シート押さえ板１０を差し込み、押圧部材８を枚葉シート収納部材７の天井部６の内側に潜り込ませる。枚葉シート収納部材７と枚葉シート押さえ板１０が一体となったものが収納保持部材ＩＩである。
【００１９】
枚葉シート収納部材７の天井部６を下側にし、且つ、枚葉シート押さえ板１０の平板８を手前側（図１の収納容器Ｉの蓋１側）にして、積層したシリコーン加工紙Ｓを収納保持した収納保持部材ＩＩを、図１に示すように収納容器Ｉの中に納めて使用する。シリコーン加工紙Ｓは、枚葉シート押さえ板１０の押圧部材８の作用により、絶えず平板９で押さえられているので、最後の１枚まで下方に沈み込むことなく容易に取り出すことができる。
【００２０】
図３は、積層したシリコーン加工紙Ｓなどの枚葉シートを収納保持するための収納保持部材ＩＩの別の実施形態を示す斜視図である。図２と同じものは同じ符号が付されている。枚葉シート収納部材７は、基本的には図２と同じであるが、図２との相違は、図３では天井部６を長めに形成している点である。枚葉シート押さえ板１０の押圧部材８は、平板９の両端に二箇所設けている。二つの押圧部材８でシリコーン加工紙Ｓの両側が固定される構造としている。これにより枚葉シート押さえ板１０の下方に均一な力が作用することによってシリコーン加工紙Ｓの下方が十分に均一な力で強く押えられるとともに上方では緩く押さえられるので、シリコーン加工紙Ｓが二枚重なって取り出してしまうようなことがない。
【００２１】
図４は、枚葉シート収納部材７を側壁板４の側からみた側面図である。壁５は背面板３とのなす角度が鋭角となるように内側に向かって傾斜している。角度としては特に限定はないが、４０°から７５°程度が適当である。このような傾斜を設けることにより、シリコーン加工紙の一枚、一枚の取り出しを容易にすることができる。図５は、図１の収納容器ＩのＡ−Ｂ方向の断面図である。収納容器Ｉの中には、積層したシリコーン加工紙Ｓを収納保持した収納保持部材ＩＩが納められている。この際、積層したシリコーン加工紙Ｓは、押え板１０、即ち平板９に有する押圧部材８で天井部６を押圧することにより、押え板１０の平面部で押さえられている。
【００２２】
図６は、収納保持部材ＩＩのさらに別の実施形態を示す斜視図である。収納保持部材ＩＩは、枚葉シート収納部材７と枚葉シート押さえ板１０から構成される。枚葉シート収納部材７は、積層したシリコーン加工紙Ｓなどの枚葉シートの一方の面が接する背面板３と、この背面板３の両縁部に設けた側壁４とからなる。背面板３は、その長手方向の端部が後壁５の上辺が内側に向かってカギ形状６ａが形成されている。両側壁４は、カギ形状６ａに近い方の上辺部に互いに内側にフランジ部１３、１３を有する。このフランジ部１３、１３には、枚葉シート押さえ板１０の長手方向の端部の両側にそれぞれ押圧部材８、８を有する。枚葉シート押さえ板１０は、枚葉シート収納部材７の背面板３に対向するフランジ部１３を押圧する押圧部材８を２箇所に有する平板９からなっている。
【００２３】
押圧部材８には、各種の形状のものが使用されるが、具体的には、弾性変形する板バネなどを用いることができる。板バネの形状としては、図２に示されるように、滑らかな山の形状を有するもの（この場合には押え板の長手方向に直角に配置する。）や、図７に示されるように、山形状としたもので頂上部が尖っているもの（図７のａ）、滑らかな山の形状を有するもの（図７のｃ）、更に板バネが直線状のも（図７のｂ）などがあり、好ましく図７のａや図７のｃに示される形状のものがよい。このような形状にすることにより、枚葉シート収納部材７に押え板９を収納配置することが容易にできるという優れた効果を奏するものである。この際、押圧状態下では、押え板９と板バネの端部とがわずかな隙間ができるように押え板９と板バネ８とを調整して押え板９に板バネ８を取り付ける。また、枚葉シート押さえ板１０は、平板９の枚葉シートと接する面側に複数個の凸面１４を形成することにより、この凸面１４により枚葉シートを部分的に緩く押さえることができる。また枚葉シート収納部材７には、該収納部材７を容器２から取り出したり、容器２に収納するときに、指を引っ掛けられるように、枚葉シート収納部材７の両側板４には、孔１１が開けられ、さらに背面板３には同様の目的で長孔１２が開けられている。
【００２４】
枚葉シート収納部材７は、次のようにして形成することができる。先ず、１枚のスチール板を、背面板３（壁５と天井部６を含む）と、端部に凸の字形状の突部を有する両側板４を展開した形状に型取、背面板３に長孔１２を開け、両側板４に孔１１を開ける。次いで、背面板３の両側を折り曲げて側板４を形成し、両側板４の上端部の凸の字形状の突部を内側に折り曲げてフランジ部１３を形成する。引き続き、背面板３の長手方向の端部を２度折り曲げて壁５と天井部６を形成することにより、枚葉シート収納部材７を形成する。本考案の枚葉シートの収納容器Ｉは、以下のようにして使用することができる。まず、前述の如く、本考案の枚葉シートの収納容器は、厨房の壁などに取出口を上にして取り付け、取出口から一枚ずつ上方に引き出すことにより取り出して使用する。また本考案の枚葉シートの収納容器を壁などに取り付けることなく、テーブルや料理台などに立てかけずに置いて（上置き）取出口から一枚ずつ取り出して使用する場合には、枚葉シートを押えるための押さえ板を使用することなく（押さえ板を枚葉シートにセットしない）枚葉シートを一枚一枚取り出して使用することができる。更に本考案の枚葉シートの収納容器を横にして壁などに取り付けて使用する場合には、図２に示される如く、長手方向の端部の中央に設けられた１個の押圧部材を設置した形式の押さえ板を用いた枚葉シートの収納容器を用い、その取出口から枚葉シートを一枚ずつ横に引き出すことにより取り出して使用することが好ましい。
【産業上の利用可能性】
【００２５】
本考案の枚葉シートの収納保持部材並びに枚葉シート収納容器は、食品の調理室や厨房などに設置して使用され、枚葉シートの保存時に油や塵埃などは付着しないので、食品を扱う調理室や料理する厨房など分野に極めて有用である。
【図面の簡単な説明】
【００２６】
【図１】本考案に係る積層した枚葉シートの収納容器の一実施形態を示す斜視図である。
【図２】枚葉シートを収納保持するための収納保持部材ＩＩの一実施形態を示す斜視図である。
【図３】枚葉シートを収納保持するための収納保持部材ＩＩの別の実施形態を示す斜視図である。
【図４】枚葉シート収納部材を側板の側からみた側面図である。
【図５】図１の収納容器のＡ−Ｂ方向の断面図である。
【図６】枚葉シートを収納保持するための収納保持部材の更に別の実施形態を示す斜視図である。
【図７】本考案に用いる押圧部材の形状を示す側面図である。
【図８】本考案に用いられる磁性体板を示す平面図である。
【図９】従来の枚葉シートの収納容器の模式図である。
【符号の説明】
【００２７】
１  蓋
１ａ  固定部材
２  容器
３  背面板
４  側壁又は側壁板
５  壁
６  天井部
６ａ  カギ形状
７  枚葉シート収納部材
８  押圧部材
９  平板
１０  枚葉シート押さえ部材
１１  孔
１２  長孔
１３  フランジ部
１４  凸面
１５  磁性体板
１６  ビス孔
２０  容器本体
２１  磁石
２２  引出具
２３  基板
２４  押え板
３１  コの字形状
Ｉ  枚葉シートの収納容器
ＩＩ  収納保持部材
Ｓ  シリコーン加工紙
【図１】
0003125893.tif 000003
【図２】
0003125893.tif 000004
【図３】
0003125893.tif 000005
【図４】
0003125893.tif 000006
【図５】
0003125893.tif 000007
【図６】
0003125893.tif 000008
【図７】
0003125893.tif 000009
【図８】
0003125893.tif 000010
【図９】
0003125893.tif 000011